(57)【要約】  本発明は、一般に、薬剤のいくつかのユーザ可変用量を選択し投薬するための薬物送達デバイス、およびそのようなデバイス用のハウジング（１０）を対象とする。ハウジングは、少なくとも１つの窓（１１ａ、１１ｂ、１１ｃ）と、薬物送達デバイスのさらなる構成部材（２０、３０、４０、５０、６０、７０、８０、９０、１１０、１２０、１３０）に係合するための少なくとも１つのインターフェース（１２、１３、１４、１５、１６、１７、１８、１９）とを有するツインショット射出成形ケーシングを含む。ケーシングは、半透明材料で射出成形された第１のシェル（１０ａ）と、不透明材料で射出成形された第２のシェル（１０ｂ）とを含む。さらに、本発明は、そのようなハウジング（１０）を製造する方法を対象とする。
2017534364.tif 000002
【特許請求の範囲】
【請求項１】
薬物送達デバイス用のハウジングであって、
少なくとも１つの窓（１１ａ、１１ｂ、１１ｃ）と、薬物送達デバイスのさらなる構成部材（２０、３０、４０、５０、６０、７０、８０、９０、１１０、１２０、１３０）に係合するための少なくとも１つのインターフェース（１２、１３、１４、１５、１６、１７、１８、１９）とを有するツインショット射出成形ケーシングを含み、
該ケーシングは、半透明材料で射出成形された第１のシェル（１０ａ）と、不透明材料で射出成形された第２のシェル（１０ｂ）とを含むことを特徴とする前記ハウジング。
【請求項２】
第１のシェル（１０ａ）と第２のシェル（１０ｂ）とは互いに恒久的に接合される、請求項１に記載のハウジング。
【請求項３】
第２のシェル（１０ｂ）は第１のシェル（１０ａ）を少なくとも部分的に囲む、請求項１または２に記載のハウジング。
【請求項４】
第１のシェル（１０ａ）は、少なくとも１つの窓（１１ａ、１１ｂ、１１ｃ）と、薬物送達デバイスのさらなる構成部材（２０、３０、４０、５０、６０、７０、８０、９０、１１０、１２０、１３０）に係合するための少なくとも１つのインターフェース（１２、１３、１４、１５、１６、１７、１８、１９）とを含む、請求項１〜３のいずれか１項に記載のハウジング。
【請求項５】
第２のシェル（１０ｂ）は、薬物送達デバイスのさらなる構成部材（２０、３０、４０、５０、６０、７０、８０、９０、１１０、１２０、１３０）に係合するための少なくとも１つのインターフェース（１２、１３、１４、１５、１６、１７、１８、１９）を含む、請求項１〜４のいずれか１項に記載のハウジング。
【請求項６】
薬物送達デバイスのさらなる構成部材（２０、３０、４０、５０、６０、７０、８０、９０、１１０、１２０、１３０）に係合するための少なくとも１つのインターフェース（１２、１３、１４、１５、１６、１７、１８、１９）は、ねじ山（１７）、リブ、溝（１６）、ビード（１４）、歯（１５、１８）、ランプ（１９）、および／またはアームを含む、請求項４または５に記載のハウジング。
【請求項７】
第１のシェル（１０ａ）は、遠位端の軸方向に延びる突起（１３）と、反対側近位端の一連のクラウン歯（１５）とを有する管状部分を含む、請求項１〜６のいずれか１項に記載のハウジング。
【請求項８】
管状部分は、少なくとも１つの窓（１１ｂ）を形成する、軸方向に延びる長円形の隆起を含む、請求項７に記載のハウジング。
【請求項９】
第１のシェル（１０ａ）は、管状部分の遠位端に、または遠位端近くに位置するインサート（１２）をさらに含む、請求項７または８に記載のハウジング。
【請求項１０】
第２のシェル（１０ｂ）は、ランプ（１９）と少なくとも１つの案内リブまたは溝とを含む、請求項１〜９のいずれか１項に記載のハウジング。
【請求項１１】
薬剤のいくつかのユーザ可変用量を選択し投薬するための薬物送達デバイスであって、
請求項１〜１０のいずれか１項に記載のハウジングと、
カートリッジホルダ（２０）と、
薬剤を含むカートリッジ（１００）とを含む前記薬物送達デバイス。
【請求項１２】
ハウジング（１０）は、少なくとも１つのインターフェース（１２、１３、１４、１５、１６、１７、１８、１９）を介して、
カートリッジホルダ（２０）、
ピストンロッド（３０）、
駆動部材（４０）、
ナット（５０）、
用量設定要素（６０）、
ボタン（７０）、
用量設定グリップ（８０）、
駆動ばね（９０）、
ゲージ要素（１１０）、
クラッチ（１２０）、および
クラッチばね（１３０）のうちの少なくとも１つに連結される、請求項１１に記載の薬物送達デバイス。
【請求項１３】
ピストンロッド（３０）はハウジング（１０）にねじ係合し、
駆動部材（４０）はハウジング（１０）に対して軸方向に変位可能であり、ハウジング（１０）に対する駆動部材（４０）の相対軸方向位置に応じて、ハウジング（１０）の対応する歯（１８）に係合する歯を含み、
用量設定要素（６０）はハウジング（１０）にクリップ留めされて、相対回転運動を可能にし、また相対軸方向運動を防ぎ、
ボタン（７０）はハウジング（１０）に対して軸方向に変位可能であり、ハウジング（１０）に対するボタン（７０）の相対軸方向位置に応じて、ハウジング（１０）の対応する歯（１５）に係合する歯を含み、
用量設定グリップ（８０）はハウジング（１０）にクリップ留めされて、相対回転運動を可能にし、また相対軸方向運動を防ぎ、
駆動ばね（９０）の一端は、ハウジング（１０）に軸方向および／または回転方向に拘束され、
ゲージ要素（１１０）はハウジング（１０）に回転方向に拘束され、ハウジング（１０）内で軸方向に変位可能に案内され、かつ／または、
クラッチばね（１３０）の一端は、ハウジング（１０）に軸方向および／または回転方向に拘束される、請求項１１に記載の薬物送達デバイス。
【請求項１４】
請求項１〜１０のいずれか１項に記載のツインショット射出成形ケーシングを有するハウジングを製造する方法であって、
第１のシェル（１０ａ）は第１のショット中に半透明材料で射出成形され、第２のシェル（１０ｂ）は第２のショット中に不透明材料で射出成形される前記方法。
【請求項１５】
少なくとも１つの窓（１１ａ、１１ｂ、１１ｃ）は、第２のショットが第１のショットを覆わない領域に形成される、請求項１４に記載の方法。
【発明の詳細な説明】
【技術分野】
【０００１】
本発明は、一般に、薬物送達デバイス用のハウジング、およびそのようなハウジングを含む、薬剤のいくつかのユーザ可変用量を選択し投薬するための薬物送達デバイスを対象とする。さらに、本発明は、薬物送達デバイス用のハウジングを製造する方法を対象とする。
【背景技術】
【０００２】
ペン型薬物送達デバイスは、正式な医療訓練を受けていない人による定期的な注射が行われる場合に利用される。これは、糖尿病患者の間でますます一般的になっており、自己治療により、このような患者が自身の疾病の効果的な管理を行うことが可能になる。実際に、このような薬物送達デバイスにより、ユーザが薬剤のいくつかのユーザ可変用量を個々に選択し投薬することができるようになる。本発明は、単に所定の用量を投薬できるようにするだけで設定用量を増加または減少させる可能性のない、いわゆる固定用量デバイスは対象としない。
【０００３】
基本的に２つのタイプの薬物送達デバイス、すなわち：リセット可能なデバイス（すなわち、再使用可能な）およびリセット不可能なデバイス（すなわち、使い捨て）がある。たとえば、使い捨てペン送達デバイスは独立型デバイスとして供給される。このような独立型デバイスには、着脱可能な充填済みカートリッジがない。というより、その充填済みカートリッジは、デバイス自体を壊さなければこれらのデバイスから取り出し、交換することができない。したがって、このような使い捨てデバイスは、リセット可能な用量設定機構を有する必要がない。本発明は、デバイスのリセットおよびカートリッジの交換を可能にする再利用可能なデバイスを対象とする。デバイスのリセットは通常、ピストンロッドまたは親ねじを伸長（遠位）位置、すなわち用量投薬後の位置から、より後退した（近位）位置へ動かすことを伴う。
【０００４】
これらのタイプのペン送達デバイスは（大きくした万年筆に似ていることが多いのでこのように名づけられた）、一般に３つの主要素、すなわち：多くの場合ハウジングまたはホルダ内に含まれるカートリッジを含むカートリッジセクションと；カートリッジセクションの一端に連結されたニードルアセンブリと；カートリッジセクションの他端に連結された用量投入セクションとを含む。カートリッジ（アンプルと呼ばれることが多い）は通常、医薬品（たとえば、インスリン）が充填されているリザーバと、カートリッジリザーバの一端にある可動ゴム型の栓またはストッパと、多くはくびれている他端にある穿孔可能なゴム封止を有する上部とを含む。圧着環状金属バンドが通常、ゴム封止を適所に保持するために使用される。カートリッジハウジングは通常、プラスチックで作ることができるが、カートリッジリザーバは従来ガラスで作られてきた。
【０００５】
ニードルアセンブリは通常、交換可能な両頭針アセンブリである。注射の前に、交換可能な両頭針アセンブリがカートリッジアセンブリの一端に取り付けられ、用量が設定されてから、設定用量が投与される。このような着脱可能なニードルアセンブリは、カートリッジアセンブリの穿孔可能な封止端にねじ留めする、または押し付ける（すなわち、カチッと留める）ことができる。
【０００６】
用量投入セクションまたは用量設定機構は通常、ペンデバイスの、用量を設定（選択）するために使用される部分である。注射中、用量設定機構内に含まれるスピンドルまたはピストンロッドが、カートリッジの栓またはストッパを押す。この力により、カートリッジ内に含まれる医薬品が、取り付けられたニードルアセンブリを通して注射される。注射後、ほとんどの薬物送達デバイスおよび／またはニードルアセンブリの製造業者および納入業者によって一般に推奨されるように、ニードルアセンブリは取り外され廃棄される。
【０００７】
薬物送達デバイスのタイプをさらに区別するには、駆動機構に言及する。すなわち：たとえばユーザが注射ボタンに力を加えることにより手動で駆動されるデバイス、ばねなどにより駆動されるデバイス、およびこれら２つの概念を組み合わせたデバイス、すなわち、ユーザが注射力を及ぼす必要のあるばね式デバイスがある。ばね型デバイスは、予圧されるばねと、用量選択中にユーザが負荷を加えるばねとを含む。一部の蓄積エネルギーデバイスは、ばね予圧と、たとえば用量設定中にユーザにより与えられる追加のエネルギーとの組合せを使用する。
【０００８】
公知の薬物送達デバイスのハウジングは、多くの場合、管状ケーシングであり、この管状ケーシングは、窓、および／またはデバイスのさらなる構成部材に係合するためのインターフェースを含み得る。たとえば、特許文献１は、用量ダイヤルスリーブの溝（ねじ山）に係合するための螺旋リブ（ねじ山）を有するハウジングを開示している。ほとんどのデバイスにおいて、ハウジングは単一の材料から作られる。それに対して、特許文献２は、２ショット成形または共射出成形プロセスを介して形成された剛性のベースとソフトタッチ層とを有するハウジングを開示している。この作製技法により、ベースの材料とソフトタッチ層の材料との間で化学結合を生じさせることができる。このハウジングは、ケーシングのアパーチャの形の窓を備え、この窓は透明なプラスチックカバーにより覆われる。
【先行技術文献】
【特許文献】
【０００９】
【特許文献１】ＥＰ１６０３６１１Ｂ１
【特許文献２】ＥＰ１００７１１５Ｂ１
【発明の概要】
【発明が解決しようとする課題】
【００１０】
別個の透明なプラスチックカバーを取り付けることは、さらなる組立ての労力を必要とする。さらに、特に透明なプラスチックカバーをハウジングの外側から取り付ける予定である場合、確実な取付具を設けることが困難であり得る。したがって、本発明の目的は、改良された薬物送達デバイス、および半透明窓を含むそれぞれのハウジングを提供することである。
【課題を解決するための手段】
【００１１】
本目的は、請求項１に記載のハウジング、請求項１１に記載の薬物送達デバイス、および請求項１４に記載の方法により解決される。
【００１２】
本発明によれば、薬物送達デバイス用のハウジングは、少なくとも１つの窓と、薬物送達デバイスのさらなる構成部材に係合するための少なくとも１つのインターフェースとを有するツインショット射出成形ケーシングを含み、ケーシングは、半透明または透明材料で射出成形された第１のシェルと、不透明材料で射出成形された第２のシェルとを含む。ツインショット射出成形は、構成部材の第１の部分、たとえば第１のシェルを射出成形し、結果として得られる部材をさらなる射出成形工程で使用して、少なくとも１つのさらなる層、たとえば第２のシェルを構成部材の第１の部分に施す技法である。これは、第１の部分がさらなる層によって内側からおよび／または外側から完全にまたは部分的に覆われる例を含む。加えて、さらなる層は、第１の部分、たとえばさらなる層から作られ第１の部分を通って延びるリブの間隙、アパーチャなどを充填することができる。好ましくは、第１のシェルと第２のシェルとが互いに恒久的に接合または接着される。
【００１３】
言い換えると、本発明は、ユーザに視覚フィードバックを与えるために、内部を見るための窓要素を含む注射器機構のハウジングの設計に関する。窓は視覚フィードバックを拡大するレンズを含んで、視覚障害のあるユーザがより容易に視覚フィードバックを見ることができるようにしてもよい。
【００１４】
本発明のさらなる態様によれば、用量設定および／または用量投薬を示すために、少なくとも１つの、好ましくは２つのレンズが、半透明または透明材料により、たとえばハウジングの遠位端に形成される。
【００１５】
本発明のさらなる態様は、遠位端と反対側近位端とを有する薬物送達デバイス用のハウジングであって、ハウジングの近位端面が、ハウジングに対する構成部材の軸方向位置に応じて、さらなる構成部材、たとえばダイヤルグリップまたはトリガボタンをハウジングに回転方向に拘束するための軸方向に延びる歯またはスプラインを備えるハウジングに言及する。歯は、両面に同じ角度を有する鋸歯であってよく、または異なる角度、すなわち一側に急な面、反対側に浅い面を有する鋸歯であってよい。
【００１６】
第２のシェルが第１のシェルを少なくとも部分的に囲む場合、第２のシェルにより覆われたハウジングのそのような領域において、ハウジングの内側は不透明な第２のシェルにより外側から隠される。一方、第２のシェルの開口部を使用して、第１のシェルを設けることにより作られた窓またはレンズを画成してもよい。したがって、この技法は、２つ以上の単窓または単レンズをハウジングに設ける予定である場合に特に有用である。
【００１７】
本発明の好ましい実施形態において、第１のシェルは、少なくとも１つの窓と、薬物送達デバイスのさらなる構成部材に係合するための少なくとも１つのインターフェースとを含む。加えてまたは代替案として、第２のシェルは、薬物送達デバイスのさらなる構成部材に係合するための少なくとも１つのインターフェースを含む。少なくとも１つのインターフェースは、薬物送達デバイスのさらなる構成部材を係合、案内、保持、または拘束するための任意の適切な形状を有してよい。インターフェースは、好ましくは、ねじ山、リブ、溝、ビード、歯、ランプ、および／またはアームを含む。さらに、インターフェースは、一時的な相互作用のための構成部材、たとえばハウジングに連結されハウジングからデカップリングされるクラッチと恒久的に相互作用するのに適したものであってよい。
【００１８】
第１のシェルは、遠位端の軸方向に延びる突起と、反対側近位端の一連のクラウン歯とを有する管状部分を含んでよい。そのようなクラウン歯を使用して、歯が構成部材、たとえばボタンの対応する歯に係合した場合に、この構成部材をハウジングに回転方向にロックすることができる。各歯は１つの傾斜面と１つの平坦面とを有してよい。代替案として、両面が傾斜していてもよい。好ましくは、管状部分は、少なくとも１つの窓を形成する、軸方向に延びる長円形の隆起を含む。実施形態において、長円形の隆起を、第２のシェルにより枠付け（ｆｒａｍｅ）し、かつ／または部分的に覆って、２つ以上の窓領域を画成してもよい。さらに、第１のシェルは、たとえば管状部分の遠位端に、または遠位端近くに位置するインサートを含んでよい。
【００１９】
第２のシェルは、たとえばキャップを取り付けるためのランプと、たとえばデバイスのカートリッジホルダを取り付けるための少なくとも１つの案内リブまたは溝とを含んでよい。
【００２０】
薬剤のいくつかのユーザ可変用量を選択し投薬するための薬物送達デバイスは、前述のハウジングと、カートリッジホルダと、薬剤を含むカートリッジとを含む。
【００２１】
好ましくは、ハウジングは、少なくとも１つのインターフェースを介して、カートリッジホルダ、ピストンロッド、駆動部材、ナット、用量設定要素、ボタン、用量設定グリップ、駆動ばね、ゲージ要素、クラッチ、および／またはクラッチばねのうちの少なくとも１つに連結される。例示的な実施形態において、ピストンロッドは、ハウジング、好ましくは第１のシェルにねじ係合する。駆動部材はハウジングに対して軸方向に変位可能であってよく、ハウジングに対する駆動部材の相対軸方向位置に応じて、ハウジング、好ましくは第１のシェルの対応する歯に係合する歯を含んでもよい。好ましくは、用量設定要素を、ハウジング、たとえば第１のシェルにクリップ留めして、相対回転運動を可能にし、また相対軸方向運動を防ぐ。ボタンはハウジングに対して軸方向に変位可能であってよく、ハウジングに対するボタンの相対軸方向位置に応じて、ハウジング、好ましくは第１のシェルの対応する歯に係合する歯を含んでもよい。加えてまたは代替案として、用量設定グリップをハウジング、たとえば第２のシェルにクリップ留めして、相対回転運動を可能にし、また相対軸方向運動を防いでもよい。駆動ばねの一端および／またはクラッチばねの一端を、ハウジング、たとえば第１のシェルに軸方向および／または回転方向に拘束してもよい。ゲージ要素をハウジングに回転方向に拘束してもよく、ハウジング、たとえば第２のシェル内で軸方向に変位可能に案内してもよい。
【００２２】
ツインショット射出成形ケーシングを有するハウジングを製造する方法は、第１のショット中に第１のシェルを半透明材料で射出成形し、その後第２のショット中に第２のシェルを不透明材料で射出成形する工程を含む。好ましくは、ハウジングの少なくとも１つの窓は、第２のショットが第１のショットを覆わない領域に形成される。
【００２３】
代替案として、透明ショットの内側に不透明ショットを成形することにより、窓を形成してもよい。不透明ショットが透明ショットの外側にあっても、不透明ショットを最初に成形することができる。
【００２４】
２つ以上のショットでのハウジングの射出成形は、１つまたはそれ以上の杭を、たとえば第１のショット中に形成される要素に設けて、成形された要素を次の成形ショット中に適所に保持することを含んでもよい。そのような杭が半透明または透明材料から形成される場合、杭をさらにハウジングの窓として使用してもよい。
【００２５】
本明細書で使用する用語「薬剤」は、少なくとも１つの薬学的に活性な化合物を含む医薬製剤を意味し、
ここで、一実施形態において、薬学的に活性な化合物は、最大１５００Ｄａまでの分子量を有し、および／または、ペプチド、タンパク質、多糖類、ワクチン、ＤＮＡ、ＲＮＡ、酵素、抗体もしくはそのフラグメント、ホルモンもしくはオリゴヌクレオチド、または上述の薬学的に活性な化合物の混合物であり、
ここで、さらなる実施形態において、薬学的に活性な化合物は、糖尿病、または糖尿病性網膜症などの糖尿病関連の合併症、深部静脈血栓塞栓症または肺血栓塞栓症などの血栓塞栓症、急性冠症候群（ＡＣＳ）、狭心症、心筋梗塞、がん、黄斑変性症、炎症、枯草熱、アテローム性動脈硬化症および／または関節リウマチの処置および／または予防に有用であり、
ここで、さらなる実施形態において、薬学的に活性な化合物は、糖尿病または糖尿病性網膜症などの糖尿病に関連する合併症の処置および／または予防のための少なくとも１つのペプチドを含み、
ここで、さらなる実施形態において、薬学的に活性な化合物は、少なくとも１つのヒトインスリンもしくはヒトインスリン類似体もしくは誘導体、グルカゴン様ペプチド（ＧＬＰ−１）もしくはその類似体もしくは誘導体、またはエキセンジン−３もしくはエキセンジン−４もしくはエキセンジン−３もしくはエキセンジン−４の類似体もしくは誘導体を含む。
【００２６】
インスリン類似体は、たとえば、Ｇｌｙ（Ａ２１），Ａｒｇ（Ｂ３１），Ａｒｇ（Ｂ３２）ヒトインスリン；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、およびＤｅｓ（Ｂ３０）ヒトインスリンである。
【００２７】
インスリン誘導体は、たとえば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンである。
【００２８】
エキセンジン−４は、たとえば、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ２配列のペプチドであるエキセンジン−４（１−３９）を意味する。
【００２９】
エキセンジン−４誘導体は、たとえば、以下のリストの化合物：
Ｈ−（Ｌｙｓ）４−ｄｅｓＰｒｏ３６，ｄｅｓＰｒｏ３７エキセンジン−４（１−３９）−ＮＨ２、
Ｈ−（Ｌｙｓ）５−ｄｅｓＰｒｏ３６，ｄｅｓＰｒｏ３７エキセンジン−４（１−３９）−ＮＨ２、
ｄｅｓＰｒｏ３６エキセンジン−４（１−３９）、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；または
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
（ここで、基−Ｌｙｓ６−ＮＨ２が、エキセンジン−４誘導体のＣ−末端に結合していてもよい）；
【００３０】
または、以下の配列のエキセンジン−４誘導体：
ｄｅｓＰｒｏ３６エキセンジン−４（１−３９）−Ｌｙｓ６−ＮＨ２（ＡＶＥ００１０）、
Ｈ−（Ｌｙｓ）６−ｄｅｓＰｒｏ３６［Ａｓｐ２８］エキセンジン−４（１−３９）−Ｌｙｓ６−ＮＨ２、
ｄｅｓＡｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３８［Ａｓｐ２８］エキセンジン−４（１−３９）−ＮＨ２、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ２、
ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ２、
Ｈ−ｄｅｓＡｓｐ２８Ｐｒｏ３６，Ｐｒｏ３７，Ｐｒｏ３８［Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ２、
ｄｅｓＭｅｔ（Ｏ）１４，Ａｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ａｓｎ−（Ｇｌｕ）５ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ２、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２；
または前述のいずれか１つのエキセンジン−４誘導体の薬学的に許容される塩もしくは溶媒和化合物
から選択される。
【００３１】
ホルモンは、たとえば、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、ゴセレリンなどの、Ｒｏｔｅ  Ｌｉｓｔｅ、２００８年版、５０章に列挙されている脳下垂体ホルモンまたは視床下部ホルモンまたは調節性活性ペプチドおよびそれらのアンタゴニストである。
【００３２】
多糖類としては、たとえば、グルコサミノグリカン、ヒアルロン酸、ヘパリン、低分子量ヘパリン、もしくは超低分子量ヘパリン、またはそれらの誘導体、または上述の多糖類の硫酸化形態、たとえば、ポリ硫酸化形態、および／または、薬学的に許容されるそれらの塩がある。ポリ硫酸化低分子量ヘパリンの薬学的に許容される塩の例としては、エノキサパリンナトリウムがある。
【００３３】
抗体は、基本構造を共有する免疫グロブリンとしても知られている球状血漿タンパク質（約１５０ｋＤａ）である。これらは、アミノ酸残基に付加された糖鎖を有するので、糖タンパク質である。各抗体の基本的な機能単位は免疫グロブリン（Ｉｇ）単量体（１つのＩｇ単位のみを含む）であり、分泌型抗体はまた、ＩｇＡなどの２つのＩｇ単位を有する二量体、硬骨魚のＩｇＭのような４つのＩｇ単位を有する四量体、または哺乳動物のＩｇＭのように５つのＩｇ単位を有する五量体でもあり得る。
【００３４】
Ｉｇ単量体は、４つのポリペプチド鎖、すなわち、システイン残基間のジスルフィド結合によって結合された２つの同一の重鎖および２本の同一の軽鎖から構成される「Ｙ」字型の分子である。それぞれの重鎖は約４４０アミノ酸長であり、それぞれの軽鎖は約２２０アミノ酸長である。重鎖および軽鎖はそれぞれ、これらの折り畳み構造を安定化させる鎖内ジスルフィド結合を含む。それぞれの鎖は、Ｉｇドメインと呼ばれる構造ドメインから構成される。これらのドメインは約７０〜１１０個のアミノ酸を含み、そのサイズおよび機能に基づいて異なるカテゴリー（たとえば、可変すなわちＶ、および定常すなわちＣ）に分類される。これらは、２つのβシートが、保存されたシステインと他の荷電アミノ酸との間の相互作用によって一緒に保持される「サンドイッチ」形状を作り出す特徴的な免疫グロブリン折り畳み構造を有する。
【００３５】
α、δ、ε、γおよびμで表される５種類の哺乳類Ｉｇ重鎖が存在する。存在する重鎖の種類により抗体のアイソタイプが定義され、これらの鎖はそれぞれ、ＩｇＡ、ＩｇＤ、ＩｇＥ、ＩｇＧおよびＩｇＭ抗体中に見出される。
【００３６】
異なる重鎖はサイズおよび組成が異なり、αおよびγは約４５０個のアミノ酸を含み、δは約５００個のアミノ酸を含み、μおよびεは約５５０個のアミノ酸を有する。各重鎖は、２つの領域、すなわち定常領域（ＣＨ）と可変領域（ＶＨ）を有する。１つの種において、定常領域は、同じアイソタイプのすべての抗体で本質的に同一であるが、異なるアイソタイプの抗体では異なる。重鎖γ、α、およびδは、３つのタンデム型のＩｇドメインと、可撓性を加えるためのヒンジ領域とから構成される定常領域を有し、重鎖μおよびεは、４つの免疫グロブリン・ドメインから構成される定常領域を有する。重鎖の可変領域は、異なるＢ細胞によって産生された抗体では異なるが、単一Ｂ細胞またはＢ細胞クローンによって産生された抗体すべてについては同じである。各重鎖の可変領域は、約１１０アミノ酸長であり、単一のＩｇドメインから構成される。
【００３７】
哺乳類では、λおよびκで表される２種類の免疫グロブリン軽鎖がある。軽鎖は２つの連続するドメイン、すなわち１つの定常ドメイン（ＣＬ）および１つの可変ドメイン（ＶＬ）を有する。軽鎖のおおよその長さは、２１１〜２１７個のアミノ酸である。各抗体は、常に同一である２本の軽鎖を有し、哺乳類の各抗体につき、軽鎖κまたはλの１つのタイプのみが存在する。
【００３８】
すべての抗体の一般的な構造は非常に類似しているが、所与の抗体の固有の特性は、上記で詳述したように、可変（Ｖ）領域によって決定される。より具体的には、各軽鎖（ＶＬ）について３つおよび重鎖（ＨＶ）に３つの可変ループが、抗原との結合、すなわちその抗原特異性に関与する。これらのループは、相補性決定領域（ＣＤＲ）と呼ばれる。ＶＨドメインおよびＶＬドメインの両方からのＣＤＲが抗原結合部位に寄与するので、最終的な抗原特異性を決定するのは重鎖と軽鎖の組合せであり、どちらか単独ではない。
【００３９】
「抗体フラグメント」は、上記で定義した少なくとも１つの抗原結合フラグメントを含み、そのフラグメントが由来する完全抗体と本質的に同じ機能および特異性を示す。パパインによる限定的なタンパク質消化は、Ｉｇプロトタイプを３つのフラグメントに切断する。１つの完全なＬ鎖および約半分のＨ鎖をそれぞれが含む２つの同一のアミノ末端フラグメントが、抗原結合フラグメント（Ｆａｂ）である。サイズが同等であるが、鎖間ジスルフィド結合を有する両方の重鎖の半分の位置でカルボキシル末端を含む第３のフラグメントは、結晶可能なフラグメント（Ｆｃ）である。Ｆｃは、炭水化物、相補結合部位、およびＦｃＲ結合部位を含む。限定的なペプシン消化により、Ｆａｂ片とＨ−Ｈ鎖間ジスルフィド結合を含むヒンジ領域の両方を含む単一のＦ（ａｂ’）２フラグメントが得られる。Ｆ（ａｂ’）２は、抗原結合に対して二価である。Ｆ（ａｂ’）２のジスルフィド結合は、Ｆａｂ’を得るために切断することができる。さらに、重鎖および軽鎖の可変領域は、縮合して単鎖可変フラグメント（ｓｃＦｖ）を形成することもできる。
【００４０】
薬学的に許容される塩は、たとえば、酸付加塩および塩基性塩である。酸付加塩としては、たとえば、ＨＣｌまたはＨＢｒ塩がある。塩基性塩は、たとえば、アルカリまたはアルカリ土類、たとえば、Ｎａ＋、またはＫ＋、またはＣａ２＋から選択されるカチオン、または、アンモニウムイオンＮ＋（Ｒ１）（Ｒ２）（Ｒ３）（Ｒ４）（式中、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する）を有する塩である。薬学的に許容される塩のさらなる例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。
【００４１】
薬学的に許容される溶媒和物は、たとえば、水和物である。
【００４２】
以下で、添付図面を参照しながら、本発明の非限定的な例示的実施形態について説明する。
【図面の簡単な説明】
【００４３】
【図１】本発明の第１の実施形態による薬物送達デバイスの上面図である。
【図２】図１のデバイスの部材の分解図である。
【図３】図１のデバイスのハウジングの第１のシェルの上面図である。
【図４】図１のデバイスのハウジングの第２のシェルの上面図である。
【図５】図１のデバイスのハウジングの断面図である。
【図６】図５の詳細図である。
【図７】ボタンを有する図１のハウジングの詳細図である。
【図８】図７の詳細の代替案を示す図である。
【発明を実施するための形態】
【００４４】
図１は、注射ペンの形の薬物送達デバイスを示す。デバイスは、遠位端（図１の左端）と近位端（図１の右端）とを有する。薬物送達デバイスの構成部材が図２に示される。薬物送達デバイスは、本体またはハウジング１０、カートリッジホルダ２０、親ねじ（ピストンロッド）３０、駆動スリーブ４０、ナット５０、用量インジケータ（数字スリーブ）６０、ボタン７０、ダイヤルグリップまたは用量セレクタ８０、ねじりばね９０、カートリッジ１００、ゲージ要素１１０、クラッチ板１２０、クラッチばね１３０、および支承部１４０を含む。ニードルハブおよびニードルカバーを有するニードル配置（図示せず）を追加の部材として設けてもよく、これを前述したように交換してもよい。すべての部材が、機構の共通主軸の周りに同心に位置する。
【００４５】
ハウジング１０または本体は、拡径した近位端を有する全体として管状のケーシング要素である。ハウジング１０は、液体医薬品カートリッジ１００およびカートリッジホルダ２０のための位置を提供する。図３および図４に示すように、ハウジングは、ツインショット射出技術を用いて射出成形された第１のシェル１０ａと第２のシェル１０ｂとから構成されたケーシングを含む。本実施形態において、第１の窓１１ａ、第２の窓（またはレンズ）１１ｂ、および第３の窓１１ｃ（図６）は、ツインショット成形によりハウジング本体に組み込まれる。窓１１ａ、１１ｂ、１１ｃは第１のショット中に半透明（および好ましくは透明）材料で成形され、ハウジングの外カバーまたは第２のシェル１０ｂは第２のショット中に不透明材料で成形される。
【００４６】
第２のシェル１０ｂの開口部により、ユーザは第１のシェル１０ａを通して注射器の内部を見ることができる。たとえば、これらの窓１１ａ、１１ｂ、１１ｃの少なくとも１つを通して見える部分は数字スリーブ６０であり、この数字スリーブ６０に用量数字が印刷されることにより、選択された用量のサイズをユーザが決定することができる。さらに、これらの窓１１ａ、１１ｂ、１１ｃの少なくとも１つを使用して、ゲージ要素１１０を見ることができる。ゲージ要素１１０を使用して摺動スケールまたは進行バーを作成する。ユーザにより用量が設定されると、ゲージ要素１１０は軸方向に並進運動し、設定された用量の大きさに比例して距離が動く。この機能により、設定された用量のおおよそのサイズに関する明確なフィードバックをユーザに与える。また、ゲージ機能１１０により、投薬中に、用量数字自体を読む必要なく投薬の進行に関するフィードバックをユーザに提供する。これらの窓１１ａ、１１ｂ、１１ｃは、埃の侵入を減らし、ユーザが別個の部材であり得る移動部材に触らないようにする。半透明材料の第１のショットにより内部機能および窓を形成し（図３）、その後、不透明材料の第２のショットによりハウジング１０の外カバーを形成する（図４）。このようにして、第２のショット（第２のシェル１０ｂ）が第１のショット（第１のシェル１０ａ）を覆わない領域に窓が形成される。
【００４７】
たとえばフランジ状のインサート（インターフェース）１２が、第１のシェル１０ａの一部として図６に示される。このインサートは、第１のシェル１０ａと共に半透明材料で成形される。代替案として、インサートまたはその一部を第２のシェル１０ｂと共に不透明材料で形成してもよい。
【００４８】
第１のシェル１０ａがハウジング１０の内面を通って延びる領域において、内部機能（インターフェース）を第１のシェル１０ａの一部として成形しても、第２のシェル１０ｂの一部として成形してもよい。図示した例示的な実施形態において、第１のシェル１０ａの遠位端は、カートリッジホルダ２０に部分的に重なる、軸方向に延びるストリップ１３を備える。このストリップは第１の窓１１ａを形成する。ハウジング１０は、数字スリーブ６０に係合するための取付具をさらに含む。この取付具は、内面でハウジング１０の遠位領域に位置する内側ビード１４（図６）の形を有する。さらに、傾斜したクラウン歯１５が第１のシェル１０ａの近位端に成形される。第１のシェル１０ａは、外面の機能、たとえば周方向溝１６を有して、用量セレクタ８０を軸方向に保持する。
【００４９】
第１のシェル１０ａのインサート１２は、様々なインターフェースを有してよい。たとえば、インサート１２の管状内側本体は、ピストンロッド３０に係合する内ねじ山１７を含む。加えて、管状内側本体と第１のシェル１０ａの外側部分との間の半径方向空間は、駆動ばね９０および／またはクラッチばね１３０を受ける支承領域を提供することができる。さらに、歯１８が第１のシェル１０ａのインサート１２に設けられる。歯１８は駆動部材４０と相互作用して、駆動部材とハウジング１０とを回転方向に連結およびデカップリングする。
【００５０】
第１のシェル１０ａおよび／または第２のシェル１０ｂは、ゲージ要素１１０を軸方向に案内するための、少なくとも１つの軸方向に向いた内側スロット（図４では隠れている）などを有する。さらに、ランプ１９が第２のシェル１０ｂに設けられて、キャップ（図示せず）をスナップにより取り付ける。
【００５１】
図は、単一ハウジング部材としてのハウジング１０を示す。しかしながら、ハウジング１０は、デバイスの組立て中に互いに恒久的に取り付け可能な２つ以上のハウジング部材を含んでもよい。
【００５２】
カートリッジホルダ２０は、ハウジング１０の遠位側に位置し、そこに恒久的に取り付けられる。カートリッジホルダは、カートリッジ１００を受けるための管状の透明または半透明の部材であってよい。カートリッジホルダ２０の遠位端は、ニードル配置を取り付けるための手段を備えてもよい。着脱可能なキャップ（図示せず）を、カートリッジホルダ２０に適合するように設けてもよく、ハウジング１０のクリップ機能を介して保持してもよい。
【００５３】
ピストンロッド３０は、スプライン連結インターフェースを介して駆動スリーブ４０に回転方向に拘束される。回転時に、ピストンロッド３０は、ハウジング１０のインサート１２とのねじ付インターフェースを通して、駆動スリーブ４０に対して軸方向に動かされる。親ねじ３０は、外ねじ山がハウジング１０のインサート１２の対応するねじ山に係合する細長部材である。インターフェースは、少なくとも１つの長手方向溝またはトラックと、ドライバ４０の対応する突起またはスプラインとを含む。親ねじ３０は、その遠位端に、支承部１４０のクリップ取付けのためのインターフェースを備える。
【００５４】
駆動スリーブ４０は、親ねじ３０を囲み、かつ数字スリーブ６０内に配置された中空部材である。駆動スリーブ４０は、クラッチ板１２０とのインターフェースからクラッチばね１３０との接触部へ延びる。駆動スリーブ４０は、ハウジング１０、ピストンロッド３０、および数字スリーブ６０に対して、クラッチばね１３０の付勢に対抗して遠位方向へ、かつクラッチばね１３０の付勢により反対の近位方向へ軸方向に可動である。
【００５５】
ハウジング１０とのスプライン連結歯インターフェース１８により、用量設定中の駆動スリーブ４０の回転を防ぐ。このインターフェースは、駆動スリーブ４０の遠位端で半径方向に延びる外歯のリングと、ハウジング部材１０の、半径方向に延びる対応する内歯とを含む。ボタン７０が押されると、これらの駆動スリーブ４０とハウジング１０とのスプライン歯が係合解除されて、駆動スリーブ４０がハウジング１０に対して回転できるようになる。数字スリーブ６０とのさらなるスプライン連結歯インターフェースは、ダイヤル設定中に係合せず、ボタン７０が押されたときに係合して、投薬中の駆動スリーブ４０と数字スリーブ６０との相対回転を防ぐ。好ましい実施形態において、このインターフェースは、数字スリーブ６０の内面のフランジ上にある内方を向いたスプラインと、駆動スリーブ４０の半径方向に延びる外側スプラインのリングとを含む。これらの対応するスプラインが数字スリーブ６０および駆動スリーブ４０のそれぞれに位置して、（軸方向に固定された）数字スリーブ６０に対する駆動スリーブ４０の軸方向運動により、スプライン同士を係合または係合解除して、駆動スリーブ４０と数字スリーブ６０とを回転方向に連結またはデカップリングするようになっている。
【００５６】
駆動スリーブ４０のさらなるインターフェースは、駆動スリーブ４０の近位端面に位置するラチェット歯のリングと、クラッチ板１２０の対応するラチェット歯のリングとを含む。
【００５７】
ドライバ４０は、ナット５０の螺旋トラックを提供するねじ付セクションを有する。加えて、最終用量当接部または止め具が設けられ、これはねじ山のトラックの端部、または好ましくはナット５０の対応する最終用量止め具と相互作用するための回転ハードストップであってよく、これにより、ドライバのねじ山上のナット５０の動きを限定する。ドライバ４０の少なくとも１つの長手方向スプラインが、親ねじ３０の対応するトラックに係合する。
【００５８】
最終用量ナット５０は、数字スリーブ６０と駆動スリーブ４０との間に位置する。最終用量ナット５０は、スプライン連結インターフェースを介して数字スリーブ６０に回転方向に拘束される。数字スリーブ６０と駆動スリーブ４０との相対回転が行われるとき（ダイヤル設定中のみ）に、最終用量ナット５０は、ねじ付インターフェースを介して駆動スリーブ４０に対して螺旋経路に沿って動く。代替案として、ナット５０をドライバ４０にスプライン連結し、数字スリーブ６０にねじ留めしてもよい。最終用量止め具がナット５０に設けられ、これは、カートリッジ１００内の薬剤の残りの投薬可能な量に対応する用量が設定されたときに駆動スリーブ４０の止め具に係合する。
【００５９】
用量インジケータまたは数字スリーブ６０は、管状要素である。数字スリーブ６０は、用量設定中（用量セレクタ８０を介して）、用量修正中、および用量投薬中にねじりばね９０によって回転する。ゲージ要素１１０と共に、数字スリーブ６０はゼロ位置（「静止」）および最大用量位置を画成する。したがって、数字スリーブ６０を用量設定部材と考えてもよい。
【００６０】
製造上の理由で、図示した実施形態の数字スリーブ６０は、組立て中に数字スリーブ上部６０ｂにしっかりと固定されて数字スリーブ６０を形成する数字スリーブ下部６０ａを含む。数字スリーブ６０の成形ツーリングおよび組立てを単に簡単にするために、数字スリーブ下部６０ａと数字スリーブ上部６０ｂとは別個の部材である。代替案として、数字スリーブ６０は一体部材であってもよい。数字スリーブ６０は、スナップ係合によりハウジング１０に拘束されて、回転を可能にするが並進運動は可能にしない。数字スリーブ６０は、ハウジング１０の内面の対応するビード１４に係合する環状凹部または溝を遠位端近くに含む。数字スリーブ下部６０ａは、ゲージ要素１１０およびハウジング１０の開口部１１ａ、１１ｂを通して見える一連の数字で印付けられて、ダイヤル設定された薬剤の用量を示す。
【００６１】
さらに、数字スリーブ下部６０ａは、ゲージ要素１１０に係合する外ねじ山を持つ部分を有する。端部止め具がねじ山の両端に設けられて、ゲージ要素１１０に対する相対運動を限定する。
【００６２】
スプラインのリングの形を有するクラッチ機能は、数字スリーブ上部６０ｂに内方を向いて設けられて、用量設定中および用量修正中にボタン７０のスプラインに係合する。クリッカアームは、数字スリーブ６０の外面に設けられ、駆動スリーブ４０およびゲージ部材１１０と相互作用してフィードバック信号を生成する。加えて、数字スリーブ下部６０ａは、少なくとも１つの長手方向スプラインを含むスプライン連結インターフェースを介して、ナット５０およびクラッチ板１２０に回転方向に拘束される。さらに、数字スリーブ下部６０ａは、ねじりばね９０を取り付けるためのインターフェースを含む。
【００６３】
デバイスの近位端を形成するボタン７０は、用量セレクタ８０に恒久的にスプライン連結される。中心ステムが、ボタン７０の近位作動面から遠位に延びる。ステムは、数字スリーブ上部６０ｂのスプラインと係合するためのスプラインを担持するフランジを備える。したがって、ボタン７０が押されないときにも、ステムはスプラインを介して数字スリーブ上部６０ｂにスプライン連結されるが、このスプラインインターフェースは、ボタン７０が押されると連結解除される。ボタン７０は、スプラインを有する不連続環状スカートを有する。ボタン７０が押されると、ボタン７０のスプラインがハウジング１０のスプラインに係合し、投薬中のボタン７０（およびしたがって用量セレクタ８０）の回転を防ぐ。これらのスプラインは、ボタン７０が解放されるときに係合解除して、用量をダイヤル設定できるようにする。さらに、ラチェット歯のリングが、クラッチ板１２０と相互作用するようにボタンのフランジの内側に設けられる。
【００６４】
用量セレクタ８０は、ハウジング１０に軸方向に拘束される。用量セレクタ８０は、スプライン連結インターフェースを介してボタン７０に回転方向に拘束される。ボタン７０の環状スカートにより形成されるスプライン機能と相互作用する溝を含むこのスプライン連結インターフェースは、用量ボタン７０の軸方向位置にかかわらず係合されたままとなる。用量セレクタ８０または用量ダイヤルグリップは、鋸歯状の外側スカートを有するスリーブ状部材である。
【００６５】
ねじりばね９０がその遠位端でハウジング１０に取り付けられ、他端で数字スリーブ６０に取り付けられる。ねじりばね９０は数字スリーブ６０内に位置し、駆動スリーブ４０の遠位部分を囲む。ねじりばね９０は、組み立てたとき予め巻かれて、機構がゼロ単位にダイヤル設定されているときにトルクを数字スリーブ６０に加えるようになっている。用量セレクタ８０を回転させて用量を設定する動作により、数字スリーブ６０をハウジング１０に対して回転させ、ねじりばね９０をさらにチャージする。
【００６６】
カートリッジ１００は、カートリッジホルダ２０内に受けられる。カートリッジ１００は、可動ゴム栓をその近位端に有するガラスアンプルであってよい。カートリッジ１００の遠位端は、圧着環状金属バンドにより適所に保持される穿孔可能なゴム封止を備える。図示した実施形態において、カートリッジ１００は標準的な１．５ｍｌカートリッジである。デバイスは、カートリッジ１００をユーザまたは医療従事者が交換できないという点で使い捨てであるように設計される。しかしながら、カートリッジホルダ２０を着脱可能にし、親ねじ３０の巻戻しおよびナット５０のリセットを可能にすることにより、再利用可能なデバイスの変形形態を提供してもよい。
【００６７】
ゲージ要素１１０は拘束されて、回転を防ぐが、スプライン連結インターフェースを介したハウジング１０に対する並進運動を可能にする。ゲージ要素１１０は、数字スリーブ６０の螺旋ねじ山切込みに係合する螺旋機能を内面に有して、数字スリーブ６０の回転によりゲージ要素１１０の軸方向並進運動を生じさせるようになっている。このゲージ要素１１０の螺旋機能は、数字スリーブ６０の螺旋切込みの端部に対抗する止め具当接部も作成して、設定可能な最小用量および最大用量を限定する。
【００６８】
ゲージ要素１１０は、中心アパーチャまたは窓とアパーチャの両側に延びる２つのフランジとを有する全体として板状またはバンド状の部材を有する。フランジは、好ましくは、不透明であるため、数字スリーブ６０を遮蔽し、または覆うが、アパーチャまたは窓により、数字スリーブ下部６０ａの一部を見ることができる。さらに、ゲージ要素１１０は、用量投薬終了時に数字スリーブ６０のクリッカアームと相互作用するカムおよび凹部を有する。
【００６９】
クラッチ板１２０はリング状部材である。クラッチ板１２０は、スプラインを介して数字スリーブ６０にスプライン連結される。クラッチ板１２０はまた、ラチェットインターフェースを介して駆動スリーブ４０に連結される。ラチェットは、数字スリーブ６０と駆動スリーブ４０との間に、各用量単位に対応する戻り止め位置を提供し、時計方向および反時計方向の相対回転中に異なるランプ歯角に係合する。ボタン７０のラチェット機能に相互作用するように、クリッカアームがクラッチ板１２０に設けられる。
【００７０】
クラッチばね１３０は圧縮ばねである。駆動スリーブ４０、クラッチ板１２０、およびボタン７０の軸方向位置は、駆動スリーブ４０に力を近位方向へ加えるクラッチばね１３０の作用によって画成される。このばね力は、駆動スリーブ４０、クラッチ板１２０、およびボタン７０を介して反作用し、「静止」時に、用量セレクタ８０を通してハウジング１０にさらに反作用する。ばね力により、駆動スリーブ４０とクラッチ板１２０との間のラチェットインターフェースが常に係合することが確実になる。「静止」位置において、ボタンスプラインが数字スリーブスプラインに係合し、駆動スリーブ歯がハウジング１０の歯に係合することも確実になる。
【００７１】
支承部１４０はピストンロッド３０に軸方向に拘束され、液体薬剤カートリッジ内で栓に作用する。支承部１４０は、親ねじ３０に軸方向にクリップ留めされるが、自由に回転する。
【００７２】
デバイスが図１に示す「静止」状況にあると、数字スリーブ６０は、ゲージ要素１１０とのゼロ用量当接部に対抗して位置し、ボタン７０は押し下げられない。数字スリーブ６０の用量マーキング「０」が、ハウジング１０およびゲージ要素１１０のそれぞれの窓１１ｂを通して見える。
【００７３】
デバイスの組立て中に施されたいくつかの予め巻かれた巻きを有するねじりばね９０は、トルクを数字スリーブ６０に加え、ゼロ用量当接部により回転が防止される。
【００７４】
ユーザは、用量セレクタ８０を時計方向に回転させて、数字スリーブ６０の同一の回転を生じさせることにより、液体薬剤の可変用量を選択する。数字スリーブ６０の回転により、ねじりばね９０がチャージされ、ねじりばね９０に蓄積されるエネルギーが増加する。数字スリーブ６０が回転すると、ゲージ要素１１０はそのねじ係合により軸方向に並進運動して、ダイヤル設定用量の値を示す。ゲージ要素１１０は、窓領域の両側にフランジを有し、これらはダイヤル設定用量に隣接する、数字スリーブ６０に印刷された数字を覆って、設定用量の数字のみがユーザに確実に見えるようになっている。
【００７５】
本発明の特定の機能は、このタイプのデバイスに一般的な個々の用量数字表示に加えて視覚フィードバック機能を含むことである。ゲージ要素１１０の遠位端は、ハウジング１０の小窓１１ａを通るスライドスケールを作成する。代替案として、スライドスケールを、異なる螺旋トラックで数字スリーブ６０に係合する別個の部材を使用して形成してもよい。
【００７６】
ユーザにより用量が設定されると、ゲージ要素１１０は軸方向に並進運動し、設定された用量の大きさに比例して距離が動く。この機能により、設定された用量のおおよそのサイズに関する明確なフィードバックをユーザに与える。自動注射器機構の投薬速度は手動注射器デバイスより高くなり得るため、投薬中に数字用量表示を読むことができない場合がある。ゲージ機能により、投薬中に、用量数字自体を読む必要なく投薬の進行に関するフィードバックをユーザに提供する。たとえば、ゲージ表示をゲージ要素１１０の不透明要素により形成して、その下にある対比着色部材を見せてもよい。あるいは、見せることのできる要素に粗い用量数字または他の指標を印刷して、より正確な解決をもたらしてもよい。加えて、ゲージ表示が、用量設定および投薬中のシリンジ動作をシミュレートする。
【００７７】
駆動スリーブ４０は、用量が設定され数字スリーブ６０が回転されるときに、そのスプライン連結歯がハウジング１０の歯に係合することによって回転が防止される。したがって、ラチェットインターフェースを介して、クラッチ板１２０と駆動スリーブ４０との間で相対回転が行われなければならない。
【００７８】
用量セレクタ８０を回転させるのに必要なユーザトルクは、ねじりばね９０を巻くのに必要なトルクと、ラチェットインターフェースを緩めるのに必要なトルクとの合計である。クラッチばね１３０は、軸方向力をラチェットインターフェースに与え、クラッチ板１２０を駆動スリーブ４０上に付勢するように設計される。この軸方向負荷は、クラッチ板１２０と駆動スリーブ４０とのラチェット歯係合を維持するように作用する。ラチェットを用量設定方向に緩めるのに必要なトルクは、クラッチばね１３０により加えられる軸方向負荷、ラチェット歯の時計方向ランプ角、嵌合面間の摩擦係数、およびラチェットインターフェースの平均半径によって決まる。
【００７９】
ユーザが用量セレクタ８０を十分に回転させて機構を１増分増加させると、数字スリーブ６０は、駆動スリーブ４０に対して１つのラチェット歯だけ回転する。この時点で、ラチェット歯は次の戻り止め位置に再係合する。ラチェット再係合によって可聴クリックを発生させ、必要なトルク入力の変更によって触覚フィードバックを与える。
【００８０】
数字スリーブ６０と駆動スリーブ４０との相対回転が可能になる。この相対回転によっても、最終用量ナット５０がそのねじ付経路に沿って、駆動スリーブ４０の最終用量当接部に向かって移動する。
【００８１】
ユーザトルクが用量セレクタ８０に加えられないと、数字スリーブ６０は、クラッチ板１２０と駆動スリーブ４０との間のラチェットインターフェースのみによって、ねじりばね９０により加えられるトルク下で回転して戻ることが防止される。ラチェットを反時計方向に緩めるのに必要なトルクは、クラッチばね１３０により加えられる軸方向負荷、ラチェットの反時計方向のランプ角、嵌合面間の摩擦係数、およびラチェット機能の平均半径によって決まる。ラチェットを緩めるのに必要なトルクは、ねじりばね９０により数字スリーブ６０（およびしたがってクラッチ板１２０）に加えられるトルクよりも大きくなければならない。したがって、ラチェットランプ角は反時計方向に増加して、このトルクが確実に大きくなるようにしつつ、ダイヤルアップトルクが確実にできるだけ小さくなるようにする。
【００８２】
ユーザは、用量セレクタ８０を時計方向に回転させ続けることにより、選択用量を増加させることを選ぶことができるようになる。数字スリーブ６０と駆動スリーブ４０との間のラチェットインターフェースを緩めるプロセスが、用量増分ごとに繰り返される。用量増分ごとに追加のエネルギーがねじりばね９０内に蓄積され、ラチェット歯の再係合によりダイヤル設定された増分ごとに、可聴および触覚フィードバックが提供される。ねじりばね９０を巻くのに必要なトルクが増加すると、用量セレクタ８０を回転させるのに必要なトルクが増加する。したがって、ラチェットを反時計方向に緩めるのに必要なトルクは、最大用量に到達したときにねじりばね９０により数字スリーブ６０に加えられるトルクよりも大きくなければならない。
【００８３】
ユーザが最大用量限界に到達するまで選択用量を増加させ続けると、数字スリーブ６０は、その最大用量当接部でゲージ要素１１０の最大用量当接部に係合する。これにより、数字スリーブ６０、クラッチ板１２０、および用量セレクタ８０のさらなる回転を防ぐ。
【００８４】
用量の選択中にどのくらいの増分が機構により送達されたかに応じて、最終用量ナット５０は、その最終用量当接部を駆動スリーブ４０の止め具面に接触させることができる。当接部により、数字スリーブ６０と駆動スリーブ４０とのさらなる相対回転を防ぎ、したがって、選択可能な用量を限定する。最終用量ナット５０の位置は、ユーザが用量を設定するたびに行われた数字スリーブ６０と駆動スリーブ４０との相対回転の総数によって決定される。
【００８５】
用量が選択された状態に機構があると、ユーザは、この用量から任意の数の増分を選択解除することができる。用量の選択解除は、ユーザが用量セレクタ８０を反時計方向に回転させることによって達成される。ユーザにより用量セレクタ８０に加えられるトルクは、ねじりばね９０により加えられるトルクと組み合わせたときに、クラッチ板１２０と駆動スリーブ４０との間のラチェットインターフェースを反時計方向に緩めるのに十分なものである。ラチェットが緩められると、反時計方向の回転が数字スリーブ６０内で（クラッチ板１２０を介して）行われ、これにより数字スリーブ６０をゼロ用量位置に戻し、ねじりばね９０を巻き出す。数字スリーブ６０と駆動スリーブ４０との相対回転により、最終用量ナット５０がその螺旋経路に沿って、最終用量当接部から離れて戻る。
【００８６】
用量が選択された状態に機構があると、ユーザは機構を起動して用量の送達を開始することができる。ユーザがボタン７０を軸方向に遠位方向へ押し下げることにより、用量の送達が開始される。
【００８７】
ボタン７０が押し下げられると、ボタン７０と数字スリーブ６０との間のスプラインが係合解除され、ボタン７０と用量セレクタ８０とを送達機構から、すなわち数字スリーブ６０、ゲージ要素１１０、およびねじりばね９０から回転方向に連結解除する。ボタン７０のスプラインがハウジング１０のスプラインに係合して、投薬中のボタン７０（およびしたがって用量セレクタ８０）の回転を防ぐ。投薬中にボタン７０が不動であると、ボタン７０を投薬クリッカ機構で使用することができる。ハウジング１０の止め具機能がボタン７０の軸方向移動を限定し、ユーザにより加えられる軸方向の誤用負荷に反作用して、内部部材に損傷を与える危険を減らす。
【００８８】
クラッチ板１２０および駆動スリーブ４０は、ボタン７０と共に軸方向に移動する。これにより、駆動スリーブ４０と数字スリーブ６０との間のスプライン連結歯インターフェースを係合させ、投薬中の駆動スリーブ４０と数字スリーブ６０との相対回転を防ぐ。駆動スリーブ４０とハウジング１０との間のスプライン連結歯インターフェースが係合解除するため、駆動スリーブ４０は回転できるようになり、数字スリーブ６０およびクラッチ板１２０を介してねじりばね９０により駆動される。
【００８９】
駆動スリーブ４０が回転すると、ピストンロッド３０が、これらのスプライン連結係合によって回転し、その後、ピストンロッド３０がハウジング１０とのねじ係合によって前進する。数字スリーブ６０の回転によっても、ゲージ要素１１０が軸方向に横切ってゼロ位置へ戻ることにより、ゼロ用量当接部が機構を停止させる。
【００９０】
用量投薬中の触覚フィードバックは、クラッチ板１２０に組み込まれた柔軟なカンチレバークリッカアームを介して提供される。このアームがボタン７０の内面のラチェット機能に半径方向に界接することにより、ラチェット歯間隔は１増分の投薬に必要な数字スリーブ６０の回転に対応する。投薬中、数字スリーブ６０が回転し、ボタン７０がハウジング１０に回転方向に連結されると、ラチェット機能はクリッカアームに係合して、送達される各用量増分と共に可聴クリックを発生させる。
【００９１】
ユーザがボタン７０を押し下げ続けている間、前述の機械的相互作用を介して用量の送達が続く。ユーザがボタン７０を解放すると、クラッチばね１３０が駆動スリーブ４０をその「静止」位置に戻し（クラッチ板１２０およびボタン７０と共に）、駆動スリーブ４０とハウジング１０との間のスプラインを係合させて、さらなる回転を防ぎ、用量送達を停止させる。
【００９２】
用量送達中、駆動スリーブ４０と数字スリーブ６０とは共に回転するため、最終用量ナット５０内で相対運動は行われない。したがって、最終用量ナット５０は、ダイヤル設定中にのみ駆動スリーブ４０に対して軸方向に移動する。
【００９３】
数字スリーブ６０がゼロ用量当接部に戻ることにより用量の送達が停止されると、ユーザはボタン７０を解放することができ、これにより、駆動スリーブ４０とハウジング１０との間でスプライン歯を再係合させる。機構は「静止」状況に戻る。
【００９４】
用量投薬終了時に、追加の可聴フィードバックは、投薬中に提供される「クリック」とは異なる「クリック」の形で提供されて、デバイスが数字スリーブ６０のクリッカアームと、駆動スリーブ４０のランプならびにゲージ要素１１０のカムおよび凹部との相互作用を介してゼロ位置に戻ったことを、ユーザに知らせる。本実施形態により、用量送達終了時にのみフィードバックを生み出すことができ、デバイスがゼロ位置に戻る、またはゼロ位置から離れるようにダイヤル設定される場合にはフィードバックを生み出すことができない。
【００９５】
図７および図８は、ハウジング１０、すなわちハウジングの第１のシェル１０ａと、用量投薬を開始するために使用されるボタン７０またはトリガとの間のインターフェースの２つの代替案を示す。たとえば、傾斜したクラウン歯１５が第１のシェル１０ａの近位端に成形される。ボタン７０が押し下げられると、ボタン７０のスプライン歯がハウジングのスプライン歯１５に係合して、投薬中のボタンの回転を防ぎ、かつダイヤルグリップ８０がボタンにスプライン連結されているため、このダイヤルグリップ８０の回転を防ぐ。これらの歯の形により、歯がハウジング１０の厚さを通って延びるため、歯を成形しやすくなる。また、これらの歯の形により、ボタン７０が押されたときにダイヤルグリップ８０が回転すると、ボタン７０が押されて係合から外れる。
【００９６】
用量の選択中および選択解除中、駆動スリーブ４０とクラッチ板１２０との間のクラッチインターフェースはスリップすることができ、２つの部材の相対回転を可能にする。クラッチ板１２０は数字スリーブ６０に回転方向に拘束されて、クラッチにより数字スリーブと駆動スリーブとが互いに対して回転できるようになっている。ボタン７０が完全に押されると、クラッチばね１３０はさらに圧縮されて、駆動スリーブ４０とクラッチ板１２０との間で可能な軸方向運動を減らすため、クラッチインターフェースのスリップを防ぐ。ボタン７０が部分的にのみ押されると、クラッチがスリップし得る危険がある。その場合、数字スリーブ６０は、ねじりばね９０により駆動されて駆動スリーブ４０に対して回転し、ユーザは選択された用量をすべて受けることはない。前述したように、この問題は、投薬開始前に係合する数字スリーブ６０と駆動スリーブ４０との間のスプラインによって解決することができる。
【００９７】
図８は、ハウジング１０とボタン７０との間の各クラウン歯１５が１つの傾斜面と１つの平坦面とを有する代替解決法を示す。ボタンが部分的に押されると、歯１５はハウジング１０とボタン７０との間で係合する。ボタン６０と数字スリーブ６０との間のスプラインに加えて、歯１５の平坦側により、投薬方向への数字スリーブ６０の回転を防ぐ。駆動スリーブ４０とハウジング１０との間のスプライン連結歯インターフェース１８は係合したままであるため、駆動スリーブ４０は回転することができず、駆動スリーブ４０とクラッチ板１２０との相対回転はない。ボタン７０がさらに押されると、駆動スリーブ４０とハウジング１０との間のスプライン連結歯インターフェース１８が係合解除される。駆動スリーブ４０にかかるトルクがないため、駆動スリーブ４０は回転しない。その後、ボタン７０と数字スリーブ６０との間のスプラインが係合解除されて、数字スリーブ６０をハウジング１０から回転方向に連結解除するため、駆動スリーブ４０は回転して用量を送達することができる。数字スリーブ６０、クラッチ板１２０、および駆動スリーブ４０は、ねじりばね９０により駆動されて共に回転する。
【符号の説明】
【００９８】
１０  ハウジング（ケーシング）
１０ａ  第１のシェル
１０ｂ  第２のシェル
１１ａ〜ｃ  窓
１２  インサート（インターフェース）
１３  ストリップ
１４  ビード
１５  クラウン歯
１６  溝
１７  ねじ山
１８  歯
１９  ランプ
２０  カートリッジホルダ
３０  ピストンロッド（親ねじ）
４０  駆動スリーブ
５０  ナット
６０  用量設定要素
６０ａ  数字スリーブ下部
６０ｂ  数字スリーブ上部
７０  ボタン
８０  用量セレクタ
９０  ねじりばね
１００  カートリッジ
１１０  ゲージ要素
１２０  クラッチ板
１３０  クラッチばね
１４０  支承部
【図１】
2017534364.tif 000003
【図２】
2017534364.tif 000004
【図３】
2017534364.tif 000005
【図４】
2017534364.tif 000006
【図５】
2017534364.tif 000007
【図６】
2017534364.tif 000008
【図７】
2017534364.tif 000009
【図８】
2017534364.tif 000010
【国際調査報告】
2017534364.tif 000011
2017534364.tif 000012
2017534364.tif 000013
2017534364.tif 000014
2017534364.tif 000015